(57)【要約】      （修正有）【課題】角度、長さ等調整可能な子供三輪車用押しハンドルを提供する。【解決手段】子供車両のための押しハンドル１０は、細長いボディ１４を有し、該ボディは入れ子式の関係で構成された異なる直径の少なくとも２つの細長いチューブを有し、より小さい直径のチューブは、拡張状態と格納状態との間で、より大きい直径の前記チューブ内で摺動可能である。これらのチューブには、頂端部を備えた頂部チューブ１６と、底部チューブ２０とが含まれる。該底部チューブは前記子供用車両１２に固定されている。グリップ２２は、ユーザーの手で握るため頂部チューブの頂端部２４に取り付けられている。係止機構２６は、拡張状態又は格納状態のいずれかでチューブを係止するためボディ内に配置されている。解放装置２８は、ボディに配置され、且つ、ボディを拡張状態と格納状態との間に移動することができるように係止機構を遠隔から解放するように作動する。【選択図】図１
2006306386.tif 000002
【特許請求の範囲】
【請求項１】
子供の車両のための押しハンドルであって、
細長いボディであって、該ボディは入れ子式の関係で構成された異なる直径の少なくとも２つの細長いチューブを有し、より小さい直径のチューブは、拡張状態と格納状態との間で、より大きい直径の前記チューブ内で摺動可能であり、これらのチューブには、頂端部を備えた頂部チューブと、底部チューブとが含まれ、該底部チューブは前記子供の車両に固定されている、前記細長いボディと、
ユーザーの手で握るため前記頂部チューブの前記頂端部に取り付けられたグリップと、
前記拡張状態又は前記格納状態のいずれかで前記チューブを係止するため前記ボディ内に配置された係止機構と、
前記ボディに配置され、且つ、前記ボディを前記拡張状態と前記格納状態との間に移動することができるように前記係止機構を遠隔から解放するように作動する、解放装置と、
を備える、押しハンドル。
【請求項２】
前記解放装置は、前記頂端部の近傍に配置されている、請求項１に記載の押しハンドル。
【請求項３】
前記解放装置は、前記グリップ上に配置されている、請求項２に記載の押しハンドル。
【請求項４】
前記解放装置は、押しボタン、スイッチ及びノブからなる群から選択される装置である、請求項１に記載の押しハンドル。
【請求項５】
前記解放装置から前記係止機構まで延在する突進ロッドを更に備え、該突進ロッドは、前記係止機構を、該係止機構に向かう前記突進ロッドの移動時に前記チューブの少なくとも１つから解放させるように配置、構成される、請求項１に記載の押しハンドル。
【請求項６】
プランジャーを更に備え、前記突進ロッドは、前記解放装置に接続された第１の端部と、前記プランジャーに接続された第２の端部とを有し、該プランジャーは前記係止機構と係合する、請求項５に記載の押しハンドル。
【請求項７】
前記係止機構は、前記チューブの少なくとも１つの端部に配置された端部キャップと、該端部キャップに回転可能に取り付けられた爪レバーと、該端部キャップ上に配置され且つ該爪レバーと係合する摺動可能ピンと、該ピンを前記端部キャップの外側周辺部に向かって偏倚させる偏倚部材と、を備える、請求項６に記載の押しハンドル。
【請求項８】
前記チューブの少なくとも１つは、前記２つの隣接する前記チューブを互いに対して長さ方向位置に係止するため前記ピンと係合するアパーチャを形成する側壁を有し、前記偏倚部材は前記アパーチャが前記ピンと整列されたとき該ピンを該アパーチャ内に偏倚させ、前記プランジャーは、前記爪レバーと係合して該爪レバーを回転させるように構成され、該爪レバーは前記アパーチャから前記ピンを取り外すように回転可能である、請求項７に記載の押しハンドル。
【請求項９】
前記ボディは、前記チューブが前記拡張状態にあるとき隣接するチューブの間に少なくとも２つの接続部を形成する少なくとも３つの前記チューブを備え、前記突進ロッドの前記プランジャーと係合する前記端部キャップは、前記チューブの頂部と前記チューブの第２のチューブとの間の第１の前記接続部に配置され、前記係止機構は、前記第２のチューブと第３のチューブとの間の前記第２の接続部に配置された少なくとも第２の端部キャップを有し、該第２の端部キャップは、前記第２のチューブ及び前記第３のチューブを少なくとも前記拡張状態で係止させ、前記第１の端部キャップは、前記第２の接続部を解放するため、前記第２の端部キャップと係合するためのプランジャー表面を有する、請求項７に記載の押しハンドル。
【請求項１０】
前記第２の端部キャップは、該第２の端部キャップ上に回転可能に取り付けられた第２の爪レバーと、第２の偏倚部材と、前記第２の接続部を係止し前記第２の爪レバーと係合するための位置へと該第２の偏倚部材により偏倚された第２のピンと、を有し、前記第１の端部キャップは、前記第２の接続部を解放するため前記第２の端部キャップの前記第２の爪レバーと係合する、請求項９に記載の押しハンドル。
【請求項１１】
前記第３のチューブは、前記底部チューブであり、前記第１の端部キャップの前記ピンは、前記ボディを前記格納位置に係止するため前記第２のチューブ及び前記底部チューブの両方に形成されたアパーチャを通して延在する、請求項９に記載の押しハンドル。
【請求項１２】
前記解放装置は、前記ボディを前記格納状態で解放するため前記第２のチューブ及び前記底部チューブの両方に形成された前記アパーチャから前記ピンを除去するように作動される、請求項１１に記載の押しハンドル。
【請求項１３】
前記爪レバー及び前記ピンは、前記押しハンドルからの前記ピンの放出を防止するように構成され配置されている、請求項７に記載の押しハンドル。
【請求項１４】
前記チューブの各々は、前記拡張状態及び前記格納状態の両方に係止するため少なくとも１つのアパーチャを有する、請求項１に記載の押しハンドル。
【請求項１５】
前記グリップは、複数の位置の一つに選択的に回転させるため前記頂部チューブの前記頂端部に回転可能に取り付けられ、該頂端部に対して回転可能である、請求項１に記載の押しハンドル。
【請求項１６】
前記細長いボディは、全体として長さ方向軸を画定し、前記位置の各々は該軸に対して異なる角度を形成する、請求項１１に記載の押しハンドル。
【請求項１７】
前記グリップは、前記頂端部に対して垂直に回転可能である、請求項１１に記載の押しハンドル。
【請求項１８】
前記解放装置は、前記グリップ上に配置されている、請求項１１に記載の押しハンドル。
【請求項１９】
前記グリップは、該グリップの回転を防止するための手段と、該回転防止手段を解放するための少なくとも１つのグリップ回転ボタンと、を有し、前記回転防止手段及び前記少なくとも１つのグリップ回転ボタンは、前記解放装置との干渉を回避する、請求項１８に記載の押しハンドル。
【請求項２０】
前記解放装置は、前記グリップ上で垂直に作動するボタンであり、前記グリップ回転ボタンは前記グリップ上で水平に作動する、請求項１９に記載の押しハンドル。
【請求項２１】
前記グリップは、グリップ回転ブロックと、該グリップ回転ブロック上に配置された２つの対向する前記グリップ回転ボタンと、を備え、前記解放装置は、前記グリップ解放ボタンの間に前記グリップ回転ブロック上に配置されている、請求項２０に記載の押しハンドル。
【請求項２２】
前記グリップは、前記ボディ上で水平軸の回りに枢動する、請求項１に記載の押しハンドル。
【請求項２３】
前記子供の車両は三輪車であり、孔と該孔と整列する溝とを形成する座席背部を備え、前記底部チューブは、前記押しハンドルを前記三輪車に立位置で固定するため前記孔及び前記溝内に配置されている、請求項１に記載の押しハンドル。
【請求項２４】
三輪車であって、
細長いボディを備えた格納可能な押しハンドルであって、該ボディは、拡張状態と格納状態とを提供するため入れ子式の関係で配置された少なくとも２つの細長いチューブと、頂端部と、該頂端部に取り付けられたグリップと、を有する、押しハンドルと、
前記ボディを収容し、該ボディを立位置で保持するための孔を形成する座席背部を有する座席と、
を備える、三輪車。
【請求項２５】
前記水平に延在する突起部を備えた外側壁を持ち、前記孔は前記突起部に配置されている、請求項２４に記載の三輪車。
【請求項２６】
前記座席背部は、前記孔と整列した細長い溝を形成する外側壁を持ち、前記ボディは前記三輪車上で前記ボディを保持するため前記孔を通して前記溝に受け入れられている、請求項２４に記載の三輪車。
【請求項２７】
子供の車両のための押しハンドルであって、
前記車両に取り付けるための底部と頂端部とを有する、単一の細長いボディと、
前記頂端部上に回転可能に取り付けられ、該頂端部に対して回転可能であるグリップであって、該グリップは複数の位置に選択的に回転可能である、前記グリップと、
を備える、押しハンドル。
【請求項２８】
前記細長いボディは、全体として長さ方向軸を形成し、前記位置は該軸に対して異なる角度を各々形成する、請求項２７に記載の押しハンドル。
【請求項２９】
前記グリップは前記頂端部上で垂直方向に回転可能である、請求項２７に記載の押しハンドル。
【請求項３０】
前記グリップは、前記頂端部上で水平軸の回りに枢動する、請求項２７に記載の押しハンドル。
【請求項３１】
前記グリップは、手に係合するハンドル部と、該手に係合する部分に接続された少なくとも１つの主要支持部材と、前記ボディの前記頂端部に取り付けられた回転ブロックと、を備え、前記支持部材は前記回転ブロック上で回転可能に取り付けられている、請求項２７に記載の押しハンドル。
【請求項３２】
前記回転ブロックは、前記支持部材の回転を防止するための手段と、前記支持部材の回転を可能とするように該回転防止手段を解放するため前記回転ブロック上に配置された少なくとも１つのグリップ回転ボタンと、を有する、請求項３１に記載の押しハンドル。
【請求項３３】
前記防止手段は、前記グリップ回転ボタンと係合するギアと、前記支持部材及び前記回転ブロックの対応する端部のうち一つによって協働的に形成されたチャンバーと、を備え、一つの前記グリップ回転ボタンは一つの前記支持部材に配置され、
前記ギアは、前記グリップ回転ボタンが押下されないとき前記支持部材を所定位置で係止するため前記回転ブロックと前記支持部材との間の連結部に前記チャンバー内に配置されており、
前記ギアは、前記グリップ回転ボタンが押下されたとき前記支持部材の回転を可能にするため前記連結部から全体として離れるように押される、請求項３２に記載の押しハンドル。
【請求項３４】
前記手に係合するハンドル部分は、２つの前記主要支持部材にまたがり、該支持部材は、前記グリップ回転ブロックの対向する端部上に回転可能に取り付けられた端部を各々有し、前記支持部材の各々は、該支持部材の各々が接続される前記支持部材の回転を可能にするため一つの前記グリップ回転ボタンを有する、請求項３１に記載の押しハンドル。
【請求項３５】
前記ボディは、
少なくとも拡張状態と格納状態との間で選択的に変更可能な長さと、
前記格納状態又は前記拡張状態のいずれかに前記ボディを係止するため該ボディに配置された係止機構と、
ユーザーにより作動されたとき前記格納状態又は前記拡張状態に前記ボディを解放するため前記係止機構に遠隔接続された解放装置であって、該解放装置は前記回転ブロック上に配置されている、前記解放装置と、
を備える、請求項３４に記載の押しハンドル。
【請求項３６】
前記解放装置は、前記グリップ回転ボタンが略水平に作動される間に略垂直に作動される、請求項３５に記載の押しハンドル。
【請求項３７】
前記解放装置は、前記回転ボタンの間に配置されている、請求項３５に記載の押しハンドル。
【請求項３８】
子供の車両のための押しハンドルであって、
前記車両に取り付けられた底部と、ユーザーにより係合可能なグリップを備えた頂部とを有する細長いボディと、
拡張状態と格納状態との間で前記ボディの長アパーチャを変更するための手段と、
前記ボディを前記状態の少なくとも１つのに係止するための手段と、
前記状態の一つに前記ボディを調整することを可能にするため該ボディを解放するため前記係止手段に遠隔接続された解放装置であって、該解放装置は前記ボディの前記頂部の近傍に配置されている、前記解放装置と、
を備える、押しハンドル。
【請求項３９】
子供の車両のための押しハンドルであって、
長さ方向軸を略形成し、且つ、前記車両に取り付けられた底部とユーザーにより係合可能なグリップに取り付けられた頂端部とを有する、細長いボディと、
格納状態と拡張状態との間で前記ボディの長さを変更するための手段と、
前記ボディの前記頂端部に対して並びに該ボディの前記長さ方向軸に対して前記グリップを回転させるための手段であって、該グリップは複数の位置の選択された一つに回転可能である、前記手段と、
を備える、押しハンドル。
【請求項４０】
前記格納状態と前記拡張状態との間で前記ボディの長さを変更することを可能にするため前記ボディを解放するように前記係止手段に遠隔接続された解放装置を更に備え、該解放装置は前記ボディの前記頂部の近傍に配置され、前記グリップを回転させるための前記手段は前記解放装置との干渉を回避するように構成される、請求項３９に記載の押しハンドル。
【発明の詳細な説明】
【技術分野】
【０００１】
本発明は、概して子供用車両に関する。より詳しくは、本発明は、子供が三輪車に乗るとき親が三輪車を制御することを可能にする拡張可能で格納可能な押しハンドルに関する。
【背景技術】
【０００２】
自転車の背部に取り付けられた押しハンドルが従来知られており、典型的には、米国特許番号５，３３８，２０４、５，５３１，４９４号、６，１４９，１７８号又はＤ３８４，６０２号により開示されるように長いバーを備えている。しかし、これらの設計は、典型的に、ユーザーがハンドルを保持すること無く自転車に乗るために、ハンドルが自転車から取り外されることを必要としている。それ以外の点では、ハンドルは、自転車の運動及びバランスに干渉し得る。これらのハンドルは、自転車のフレームから事実上延長されており、ハンドルが取り付けられている状態で自転車を格納することを困難にしている。
【０００３】
更なる利便性のために、米国特許番号６，１４９，１７８号及び５，３０３，９４４号は、長さが調整可能な三輪車又は自転車のための押しハンドルを開示している。これらの押しハンドルは、２つのバーから作られており、バーのうち一方は、他方のバー内に嵌り込み又は他方のバー内へと摺動する。係止ナットは、２つのバーの接続部に設けられ、調整可能な長さにそれらのバーを保持する。しかし、これらの設計上の押しハンドルは、子供が自転車若しくは三輪車に乗っている間にハンドルが解放された場合にサイクルの運動及びバランスになおも干渉する。加えて、係止ナットを緩めたり締めたりすることにより、押しハンドルの長さを調整することは、例えば係止ナットが非常に堅く締められたとき等に、困難となり得る。このことは、押しハンドルの長さを調整する間に押しハンドルを堅く握り締めた状態に維持することが必要であるとき（例えば、車両上の子供が、親等から離れて自転車又は三輪車を動かそうとしているときなど）、特に当てはまる。
【０００４】
三輪車の既知の折り畳み式又は回転式の押しハンドルも周知されている。これらの押しハンドルは、米国特許番号６，１６１，８４７号及び６，６６３，１１５号により開示されたように三輪車が格納されるべきとき、三輪車の下に折り畳まれる。しかし、これらの押しハンドルの折り畳み態様は、嵩張り、押しハンドルの折り畳みを達成するために三輪車を持ち上げたり又はひっくり返したりすることを必要としている。
【０００５】
最後に、従来技術の自転車及び三輪車の押しハンドルのいずれも、押しハンドルの主要ボディに対して調整可能な角度を有するグリップを提供していない。ユーザーの手が快適に延び（押しハンドルの主要長さに対して）且つ最も強く握るための角度は、幅広く変化するので、押しハンドルの長さに対して固定されたこのようなグリップは、ユーザーのための快適さ及び／又は力の範囲を著しく限定してしまう。
【発明の開示】
【課題を解決するための手段】
【０００６】
上記した問題は、子供の車両のため改善された押しハンドルに関する本発明により解決される。より詳しくは、本発明に係る子供車両のための押しハンドルは、細長いボディを有し、該ボディは入れ子式の関係で構成された異なる直径の少なくとも２つの細長いチューブを有し、より小さい直径のチューブは、拡張状態と格納状態との間で、より大きい直径の前記チューブ内で摺動可能である。これらのチューブには、頂端部を備えた頂部チューブと、底部チューブとが含まれる。該底部チューブは前記子供の車両に固定されている。グリップは、ユーザーの手で握るため頂部チューブの頂端部に取り付けられている。係止機構は、拡張状態又は格納状態のいずれかでチューブを係止するためボディ内に配置されている。解放装置は、ボディに配置され、且つ、ボディを拡張状態と格納状態との間に移動することができるように係止機構を遠隔から解放するように作動する。
【０００７】
本発明の別の態様では、子供の車両のための押しハンドルは、車両に取り付けるための底部と頂端部とを有する、単一の細長いボディを備える。グリップは、頂端部上に回転可能に取り付けられ、該頂端部に対して回転可能である。該グリップは複数の位置に選択的に回転可能である。
【０００８】
本発明の更に別の態様では、本発明は、細長いボディを備えた格納可能な押しハンドルを備える三輪車に関する。該ボディは、拡張状態と格納状態とを提供するため入れ子式の関係で配置された少なくとも２つの細長いチューブと、頂端部と、該頂端部に取り付けられたグリップと、を有する。三輪車の座席は、ボディを収容し、該ボディを立位置で保持するための孔を形成する座席背部を有する。
【０００９】
本発明の更なる態様では、子供の車両のための押しハンドルは、該車両に取り付けるための底部とユーザーにより係合可能なグリップを備える頂端部とを備える細長いボディを有する。該押しハンドルは、拡張状態と格納状態との間でボディを変更するための手段と、これらの状態の少なくとも１つに該ボディを係止するための手段とを更に有する。解放装置は、拡張状態又は格納状態の一つにボディを調整することを可能にするようにボディを解放するため係止手段と係合される。解放装置は、ボディの頂部の近傍に配置される。
【００１０】
本発明の別の態様では、子供の車両のための押しハンドルは、全体として長さ方向軸を形成する細長いボディと、車両に取り付けられた底部と、ユーザーにより係合可能なグリップに取り付けられた頂端部と、を有する。押しハンドルは、ボディを、格納状態及び拡張状態の間で調整するための手段、並びに、ボディの頂端部に対して及びボディの長さ方向軸に対してグリップを回転させるための手段を更に有する。該グリップは複数の位置のうち選択された位置に回転可能である。
【００１１】
添付した請求の範囲及び添付図面と関連された本発明の実施例の次の詳細な説明は、本発明の性質及び範囲についてのより完全な理解を提供する。
【実施例】
【００１２】
本発明の改善された押しハンドルは、全体として１０で示され、子供の車両１２、特に三輪車に取り付けられた状態で図１に示されている。本発明の押しハンドルは、子供用車両又は乗用玩具に取り付けることができ、必ずしも図１乃至８に示された三輪車に限定する必要はない。押しハンドルは、周知された四輪及び三輪の「押して乗る」型式の車両（即ち、子供が地面に彼／彼女の脚部を延長させることができるように底部に穴を備えた乗用玩具の車）に取り付けることができ、又は、ワゴン、自転車、車輪付き等の他の任意の子供車両若しくは他の例では直立した位置で押しハンドルを固定する構成又は能力を有する限りサドル式の座席を備えた可動玩具に取り付けることができる。
【００１３】
図２及び３を参照すると、押しハンドル１０は、より小さい直径のチューブが、より大きい直径の隣接するチューブ内で摺動可能であるように入れ子式の関係で構成された異なる直径を持つ少なくとも２つの細長いチューブから作られる細長いボディ１４を有する。ここで、３つのチューブ、即ち、頂部即ち第１のチューブ１６と、中央部即ち第２のチューブ１８と底部即ち第３のチューブ２０とが使用される。チューブの入れ子を用いて、ユーザーは、押しハンドルを少なくとも２つの形態、即ち格納状態（図１、２、６及び８に示されている）又は拡張状態（図３及び５に示されている）に位置決めすることができる。本実施例では、底部チューブ２０は、図１及び図８に示され、更に後述されるように車両に固定されている。押しハンドル１０は、押しハンドルをユーザーの手が握るために頂部チューブ１６の頂端部２４に取り付けられたグリップ２２を更に有する。
【００１４】
図４乃至５を参照すると、係止機構２６は、拡張状態又は格納状態のいずれかにチューブ１６、１８、２０を係止するためボディ１４内に配置される。解放装置２８は、頂端部２４の近傍に、本実施例のためのグリップ２２上に配置され、突進ロッド３０の上側端部に接続されている。突進ロッド３０の下側端部は、係止機構２６と係合するため使用されるプランジャー３２に接続される。プランジャー３２は、係止機構２６と係合するための下方に延在する突起部３３（図３Ｂに示される）を有する。解放装置２８のこの位置決めは、ユーザーが係止機構２６を遠隔から解放することを可能にし、それにより、ユーザーが隣接するチューブ１６、１８、２０の間で各接続６０、６１を手動で開放するべく下方に曲げる必要無しに、ハンドルボディ１４を拡張状態と格納状態との間で移動することができる。ここで、遠隔接続又は位置決めとは、２つのチューブの間の「係止」を直接的に引き起こす実際の部品又は構造（例えばピン、係止ボルト等）が、係止機構を解放するため手又は道具により接触する必要が無いような係止機構への間接的な接続を意味している。
【００１５】
解放装置２８は、突進ロッド３０及びこれによってプランジャー３２を係止機構２６に向かって移動させたり又は押したりすることを可能にする任意の機構であってもよい。かくして、単一の押しボタンが、本実施例のために示されているが、任意のスイッチ、任意のノブ又は同じことを実行する動作手段も有用である。
【００１６】
図４、５、５Ｂ及び５Ｃに参照されるように、係止機構２６は、頂部チューブ１６の底部に設けられた第１の即ち上側端部キャップ３４と、各中央チューブ１８（１つより多く使用された場合）の底部に配置された第２の即ち下側端部キャップ３６と、を備えている。端部キャップ３４、３６は、その対応するチューブ１６、１８の端部内にピッタリと嵌合するように寸法が定められており、チューブ１６又は１８の底部最大エッジ４２と当接するリッジ３８を備えた径方向に延在する肩部４０を備えている。肩部４０の外径又は幅は、肩部４０を備えた各端部キャップの幅広い部分が、該端部キャップが内部に配置されるところの次に隣接する下側チューブ１８又は２０内で容易に摺動することを可能にするように寸法が定められている。
【００１７】
これらの端部キャップ３４、３６は、該端部キャップの頂部に対して開放した垂直に延在するスロット４３と連通する切り抜き部４４を各々有し、該切り抜き部は、端部キャップの側部に対して開放した水平に延在する円形ボア４５と連通する。これらの開口部４４、４３、４５は、係止機構２６の可動部分のための空間を提供する。詳しくは、爪レバー４６は、スロット４３内で爪ピン４８の周りに回転可能に取り付けられている。スプリングピン（又は単なるピン）５０は、ボア４５内に水平に置かれており、それ自身、爪レバー４６の下側アーム４９を受け入れるためのスロット５２を有する。各爪レバーの上側アーム４７は、対応する切り抜き部４４を通って上側に延在し、その上方でプランジャー３２と係合するように配置されている。螺旋状スプリング５４がボア４５内でスプリングピン５０の背後に配置されており、全体として押しハンドル（図５Ｂ及び５Ｃに示された）により形成された中心線即ち長さ方向軸５６から、端部キャップの外側周辺部に向かって、組み立てられたときにはチューブ１６、１８、２０の側壁５８に向かって、スプリングピンを偏倚させる。爪レバー４６は、プランジャーが爪レバー４６と係合しないときスロット４３の停止壁５３と当接すると共にスロット５２の背壁５１に当接することによって、ボア４５及びハンドルボディ１４からスプリングピン５０が出ることを防止するようにも作用する。
【００１８】
隣接するチューブ１６及び１８の間の接続部６０（図５Ｂ）では、下側チューブ１８は、隣接するチューブを拡張状態で且つ互いに対して長さ方向位置に係止するためスプリングピン５０を受け取り係合するためその側壁５８にアパーチャ６２を有している。同様に、隣接するチューブ１８及び２０の間の接続部６１は、ピン５０と係合するための下側チューブ２０にアパーチャ６２を有している（図４及び図５Ｃ）。拡張された位置では、スプリング５４は、アパーチャがピンと整列するときアパーチャ６２内へとスプリングピン５０を偏倚させる。
【００１９】
図４、５Ｂ及び５Ｃを参照すると、各チューブ１８、２０は、上側チューブ１６、１８が、隣接する下側チューブ１８又は２０から全行程に亘って引っ張ることを防止するため、接続部６０又は６１の上側端部にスリーブ６４、６６を有する。スリーブ６４、６６は、チューブ１６、１８のうちの一つが上方に引っ張られるときキャップ端部３４、３６の肩部４０と当接するための下側エッジ６８を有している。スリーブ６４、６６は、チューブ１６、１８の側壁５８により形成された２つの対向するアパーチャ７２内で固定された２つの対向するスタブ７０を有する。スリーブ毎に２つのスタブが図示され、説明されているが、スリーブ毎のスタブの数を変えたとしても、例えばスリーブ毎に１つのスタブとしても、十分に作動する。スタブ７０は、スタブ７０の下側がスリーブ６４又は６６の各々のチューブ１８又は２０への容易な挿入に適合するため傾斜されていると共に、アパーチャ７２の上側エッジに対して同じ高さで当接するための平坦な上側エッジを有する。スリーブ６４、６６は、チューブ１８及び２０の上側エッジ７５に当接するため径方向に延在する上側リム７３も持ち、スタブ７２及び上側リム７３の間に、これらのチューブの側壁５８の一部分を有効に捕捉し、対応するチューブ１８又は２０上にスリーブ６４又は６６を係止する。
【００２０】
底部チューブ２０でスプリングピン５０と係合するためのアパーチャ６２は、中央チューブ１８上のアパーチャ６２及びスプリングピン５０が押しハンドル上の前部７６（図３に示されている）に面している一方で、底部チューブ２０上の押しハンドルの背部７４（図４）に面している。この構成は、突進ロッド３０から上側端部キャップ３４を通って下側端部キャップ３６への垂直方向の力の効率的な輸送と適合する。プランジャー３２が、第１又は上側端部キャップ３４と係合し第１の接続部６０を解放するため使用される一方で、第１の端部キャップ３４は、第２の接続部６１において下側の第２の端部キャップ３６を拡張状態で係止し解放するため、それ自身下側に延在するプランジャー突起部７８を有している。
【００２１】
作動中には、拡張状態から、解放装置２８が作動されるとき、突進ロッド３０は、下方に押し込まれ、端部キャップ３４上でプランジャー３２を押す。プランジャー３２の突起部３３は、切り抜き部４４内へと延び、端部キャップ３４の爪レバー４６の上側アーム４７上で下方へと押圧する。この下方運動は、爪レバー４６を回転させ、その下側アーム４９を移動させ、スプリングピン５０を端部キャップ３４内へと摺動させ、チューブ１８のアパーチャ６２から出させる。
【００２２】
一旦スプリングピン５０が解放されたならば、ユーザーはグリップ２２上で下方に押し、チューブ１６を下方に押してチューブ１８内に至らしめる。これによって、更に、突進ロッド３０、プランジャー３２、及び、端部キャップ３４も、チューブ１８内で下方に摺動される。
【００２３】
結局のところ、上側端部キャップ３４は、第２の下側接続部６１で下側端部キャップ３６と衝突する。プランジャーの突起部７８が端部キャップ３６で爪レバー４６と係合している状態で、上側端部キャップ３４は、上側端部キャップ３４上のプランジャー３２により以前に実行されたのと同じ仕方で、下側端部キャップ３６上のスプリングピン５０を動かす。一旦、スプリングピン５０が底部又は第３のチューブ２０上のアパーチャ６２から取り外されたならば、グリップ２２上へと下側に押すことにより、チューブ１６及び１８の両方がチューブ２０内へと摺動される。
【００２４】
一旦、チューブ１６、１８、２０が図２及び図６に示されるように格納状態に配置されたならば、上側端部キャップ３４のスプリングピン５０が、中央チューブ１８の底部の近傍のアパーチャ８０（図６）並びに第３のチューブ２０の底部近傍でボディ１４の前部７６のアパーチャ８２と整列される。グリップ２２を保持するユーザーが解放装置２８への下方圧力の印加を停止するとき、プランジャー３２は、端部キャップ３４内でスプリングピン５０を拘束するため十分遠くには切り抜き部４４内に延びていかず、これによってスプリングピンをアパーチャ８０、８２内に偏倚させることを可能にする。下側端部キャップ３６のスプリングピン５０は、第３の即ち底部チューブ２０内に拘束される。
【００２５】
押しハンドル１０を格納状態から拡張状態へと延ばすために、解放装置２８は、アパーチャ８０、８２から上側端部キャップ３４のスプリングピン５０を取り出すため再び押下されなければならない。ユーザーは、スプリングピン５０がアパーチャ６２と係合してリッジ３８がスリーブ６４、６６の下側エッジ６８と当接するまで上側にチューブ１６、１８を引っ張ることができる。
【００２６】
図２及び図７を参照すると、グリップ２２は、手に係合するハンドル部分の両端部から延在する２つの主要な支持部材８６、８８を備えた手に係合するハンドル部８４を有する。主要支持部材８６、８８は、手に係合するハンドル部分に略垂直に（又は、手に係合するハンドル部分の頂部に少なくとも略垂直に）延在する。支柱９０は、支持部材８６、８８の間で隙間を橋渡しする。
【００２７】
グリップ２２は、頂部チューブ１６の頂端部２４に枢動式に取り付けられたグリップ回転ベース即ちブロック９２を更に有する。図示の実施例では、回転ブロック９２は、略柱状であり、ボディ１４（図５Ａに示される）の長さ方向軸５６に略垂直に延在する。各々の支持部材８６、８８は、図５の矢印Ａにより示されるようにハンドル部８４の略垂直回転のためのグリップ回転ブロック９２の両端部９８、１００上に各々回転可能に取り付けられた端部９４、９６を有する。支持部材８６、８８の間の距離が略固定され、回転ブロック９２の長さに対応しているので、支持部材は、回転ブロックの両端部９８、１００で、横方向に延在する円形の舌部及び溝の接続部８９を備えた回転ブロック９２に横方向に固定されている。
【００２８】
一実施例では、グリップ２２は、２つの別々に一体に成形された前部品９１及び後部品９３から作られており、各部品は、図４に示されるように、手係合部８４の一部、支持部材８６、８８及び回転ブロック９２を形成している。図４に示されたものよりも少ないか又は多い部品を用いてグリップ２２を製造するための多数の他の仕方が存在することが認められよう。
【００２９】
図４及び図７を参照すると、一つの対向するグリップ回転ボタン１０２、１０４は、各支持部材９４、９６に配置されている。グリップ回転ボタン１０２、１０４は、ボス１１０、１１２の周りに適合する２つの対向するタブの形態で引っ掛けられた内側端部を有する。これらのボスは、（図７に示されているように）支持部材の端部９４、９６と一体形成することができる。グリップ回転ボタン１０２、１０４は、（図４に示されるように）ギア１０６、１０８に固定されている。ギアは、ボス１１０、１１２上に軸受けされ、回転ブロックの両端部９８、１００、及び、支持部材の端部９４、９６内に協働して形成された歯付き壁チャンバー１１４、１１６内に各々配置されている。チャンバーの壁は、チャンバー１１４、１１６内での前後のギア１０６、１０８の横方向（軸５６に対して）摺動に適合するため歯が形成されている。ギア１０６、１０８は、コイルスプリング１０３、１０５（図４）により、部分的に支持部材内にあり、部分的に回転ブロック端部内にある位置（又は支持部材と回転ブロックとの間の連結部の位置）まで偏倚され、支持部材８６、８８を効果的に係止して回転ブロックに対して回転できないようにしている。
【００３０】
各グリップ回転ボタン１０２、１０４を押すことにより、対向するギア１０６又は１０８を、支持部材８６又は８８から回転ブロック９２内へと全体的に移動させ、回転ブロック９２及び支持部材の間の連結部から離れるように移動させる。これにより、グリップ回転ボタン１０２、１０４が押下されるとき支持部材８６又は８８を回転ブロック９２に対して回転させることが可能となり、ボタンが解放されたときには所定の位置に支持部材を係止させる。この構成を用いると、ボディ１４の長さ方向軸５６に対して様々な垂直方向位置若しくは角度へとグリップ２２を回転させることができ、これによって、様々な高さ及び様々な手の位置を持つユーザーのために快適で及び／又は強力な保持を提供する。
【００３１】
図３乃至４、５Ａ及び７を参照すると、解放装置２８も、グリップ２２の回転ブロック９２上に配置される。本実施例では、回転ブロック９２は、この場合には入れ子式押しボタン１２０である解放装置２８を保持するため垂直に延在するボア１１８を有している。押しボタン１２０は、２つの対向して下方に延在するタブ１２２を持ち、該タブは押しボタン１２０の放出又は引っ張り出しを防止するため回転ブロック９２上に引っ掛けるための引っ掛け端部１２４（図５Ａに示される）を備えている。突進ロッド３０の頂端部は、押しボタンの内部に対して開いている穴１２６内に固定されている。
【００３２】
回転ブロック９２は、下側ボア１３０からボア１１８を分離する主要ビーム１２８を有する。多数の支持フィン１３２が、ボア１１８の中心軸（図示せず）から径方向に延在し、ボア１１８、１３０を通って延在する主要ビーム１２８と連結し、両方のボアを通って延在して回転ブロック９２から出るため、突進ロッド３０のためボア１１８及びボア１３０の間の連通のための十分な隙間を提供する。螺旋スプリング１３４（図５Ａに示される）が、押しボタン１２０を上方向に偏倚させるためフィン１３０の頂部に設けられている。この構成では、解放装置２８の垂直動作又は作用は、たとえ全てのボタンが単一の回転ブロック９２上に配置されたとしてもグリップ回転ボタンの水平に延在する動作又は作用から除外され、干渉しないことになる。下側ボア１３０は、頂部チューブ１６の頂端部２４を保持し、フィン１３６とボア１３０の壁１４０との間の隙間１３８内にチューブ１６の頂端部２４を保持するためのそれ自身径方向に延在するフィン１３６を有する。
【００３３】
図１及び図８を参照すると、図示の実施例に対して、押しハンドル１０は、三輪車１２のための座席１４２に取り付けることができる。ここで、座席背部１４４は、略水平方向に延在する突起部１４８を備えた、背部即ち外側壁１４６（図１に示されるように組み立てられたとき）を有する。外側壁１４６は、チューブ２０の周辺部の形状と合致するように寸法が定められた突起部１４８に略垂直に延在する孔１５０を形成する。外側壁１４６は、孔１５０と整列された略垂直に延在する細長い溝又はスロット１５２を更に形成する。
【００３４】
本実施例では、突起部１４８は、ねじ孔１５４に設けられたねじ（図示せず）等の締め具（任意の締め具を使用することができる）を用いて座席背部１４４に取り付ける別個に成形された部品である。この別個の構成は、突起部１４８の背部又は内部へのアクセスを提供することにより、孔１５０を介した押しハンドルボディ１４のより容易な配置を可能にする。しかし、例えば押しハンドルを直接、一部品の座席背部内に配置すること等、多数の他の構成が可能であることが理解されよう。
【００３５】
一旦、ハンドルボディ１４が、孔１５０を通して配置され、突起部１４８が座席背部１４４で組み立てられたならば、ハンドル１０は、ボディ１４及び押しハンドルの拡張又は収縮と干渉しないチューブ２０の周りにピッタリと適合するように寸法が定められた溝１５２を通して押すことができる。この取り付け位置では、押しハンドルは、ユーザーにより該押しハンドルが握られていないとき、三輪車のバランスを乱さず、傾斜もしない。
【００３６】
一実施例では、押しハンドル１０は、底部チューブ２０の底部の近傍で対向する締め具アパーチャ１６０と整列する対向するアパーチャ１５８を備えた底部端部キャップ１５６（図４）を有する。締め具（図示せず）は、締め具アパーチャ１６０及び底端部キャップ１５６のアパーチャ１５８を通して配置され、最終的には、座席背部の押しハンドルの底端部を固定するため座席又は座席背部の締め具ボア（図示せず）内に配置される。
【００３７】
係止機構２６は、上述されたような少なくとも１つのチューブに配置された少なくとも１つの端部キャップを備えたボディがなおも本発明の範囲内にあるように、押しハンドルを部分的にのみ落とし込むか他の機構と関連して作動させるために使用することができることが認められよう。
【００３８】
入れ子式ボディの２つのチューブに亘って任意数のチューブを提供することも本発明の範囲内にあることが認められよう。
更には、アパーチャ６２、７２、８２の数及び配置並びに係止機構２６の配置は、ボディ１４内で幅広く変わり、それでも本発明の範囲内にあることが認められよう。
【００３９】
本発明の実施例の幾つかが示され、説明されたが、多数の変更及び変形が、本発明の精神から逸脱すること無く、なし得ることは明らかであり、その範囲は、添付した請求の範囲により形成される。
【図面の簡単な説明】
【００４０】
【図１】図１は、本発明に係る三輪車上に取り付けられた本発明の一実施例の押しハンドルの側後面の斜視図である。
【図２】図２は、格納状態にある押しハンドルの前面斜視図である。
【図３】図３は、拡張状態にある押しハンドルの前面斜視図である。
【図４】図４は、押しハンドルの分解後面斜視図である。
【図５】図５は、拡張状態にある押しハンドルの側断面図である。
【図５Ａ】図５Ａは、図５で示された押しハンドルの円形領域の拡大図である。
【図５Ｂ】図５Ｂは、図５で示された押しハンドルの円形領域の拡大図である。
【図５Ｃ】図５Ｃは、図５で示された押しハンドルの円形領域の拡大図である。
【図６】図６は、格納状態にある押しハンドルの側断面図である。
【図７】図７は、本発明の押しハンドルの握り及び頂部区分の前斜視断面図である。
【図８】図８は、本発明の押しハンドルを備えた車両座席の後面斜視図である。
【図１】
2006306386.tif 000003
【図３】
2006306386.tif 000004
【図４】
2006306386.tif 000005
【図５】
2006306386.tif 000006
【図５Ａ】
2006306386.tif 000007
【図５Ｂ】
2006306386.tif 000008
【図５Ｃ】
2006306386.tif 000009
【図６】
2006306386.tif 000010
【図７】
2006306386.tif 000011
【図８】
2006306386.tif 000012
【手続補正書】
【提出日】平成18年7月14日(2006.7.14)
【手続補正１】
【補正対象書類名】明細書
【補正対象項目名】００４０
【補正方法】変更
【補正の内容】
【００４０】
【図１】図１は、本発明に係る三輪車上に取り付けられた本発明の一実施例の押しハンドルの側後面の斜視図である。
【図２】  図２は、拡張状態にある押しハンドルの前面斜視図である。
【図３】  図３は、押しハンドルの分解後面斜視図である。
【図４】  図４は、拡張状態にある押しハンドルの側断面図である。
【図５Ａ】図５Ａは、図４で示された押しハンドルの円形領域の拡大図である。
【図５Ｂ】図５Ｂは、図４で示された押しハンドルの円形領域の拡大図である。
【図５Ｃ】図５Ｃは、図４で示された押しハンドルの円形領域の拡大図である。
【図６】図６は、格納状態にある押しハンドルの側断面図である。
【図７】図７は、本発明の押しハンドルの握り及び頂部区分の前斜視断面図である。
【図８】図８は、本発明の押しハンドルを備えた車両座席の後面斜視図である。
【手続補正２】
【補正対象書類名】図面
【補正対象項目名】全図
【補正方法】変更
【補正の内容】
【図１】
2006306386.tif 000013
【図２】
2006306386.tif 000014
【図３】
2006306386.tif 000015
【図４】
2006306386.tif 000016
【図５Ａ】
2006306386.tif 000017
【図５Ｂ】
2006306386.tif 000018
【図５Ｃ】
2006306386.tif 000019
【図６】
2006306386.tif 000020
【図７】
2006306386.tif 000021
【図８】
2006306386.tif 000022
【手続補正書】
【提出日】平成18年8月23日(2006.8.23)
【手続補正１】
【補正対象書類名】明細書
【補正対象項目名】００４０
【補正方法】変更
【補正の内容】
【００４０】
【図１】図１は、本発明に係る三輪車上に取り付けられた本発明の一実施例の押しハンドルの側後面の斜視図である。
【図２】図２は、格納状態にある押しハンドルの前面斜視図である。
【図３】図３は、拡張状態にある押しハンドルの前面斜視図である。
【図４】図４は、押しハンドルの分解後面斜視図である。
【図５】図５は、拡張状態にある押しハンドルの側断面図である。
【図５Ａ】図５Ａは、図５で示された押しハンドルの円形領域の拡大図である。
【図５Ｂ】図５Ｂは、図５で示された押しハンドルの円形領域の拡大図である。
【図５Ｃ】図５Ｃは、図５で示された押しハンドルの円形領域の拡大図である。
【図６】図６は、格納状態にある押しハンドルの側断面図である。
【図７】図７は、本発明の押しハンドルの握り及び頂部区分の前斜視断面図である。
【図８】図８は、本発明の押しハンドルを備えた車両座席の後面斜視図である。
【手続補正２】
【補正対象書類名】図面
【補正対象項目名】全図
【補正方法】変更
【補正の内容】
【図１】
2006306386.tif 000023
【図２】
2006306386.tif 000024
【図３】
2006306386.tif 000025
【図４】
2006306386.tif 000026
【図５】
2006306386.tif 000027
【図５Ａ】
2006306386.tif 000028
【図５Ｂ】
2006306386.tif 000029
【図５Ｃ】
2006306386.tif 000030
【図６】
2006306386.tif 000031
【図７】
2006306386.tif 000032
【図８】
2006306386.tif 000033
【外国語明細書】
2006306386000001.pdf